(57)【要約】【課題】より簡易かつ低コストで草体の移植を可能とすること。【解決手段】本発明の移植方法は、移植元の水底から土壌ごと採取した草体群落を上下の網体で挟んで移植体とし、該移植体を該移植元の水底に固定して該草体群落を生育させる準備工程と、前記移植体を移植先の水底に移動し、該移植先の水底に固定する移植工程と、を含むことを特徴とする。【選択図】図２
2014079198.tif 000002
【特許請求の範囲】
【請求項１】
移植元の水底から土壌ごと採取した草体群落を上下の網体で挟んで移植体とし、該移植体を該移植元の水底に固定して該草体群落を生育させる準備工程と、
前記移植体を移植先の水底に移動し、該移植先の水底に固定する移植工程と、
を含むことを特徴とする移植方法。
【請求項２】
前記上下の網体は、１枚の網シートを２つ折りしたものであり、
前記準備工程では、
前記網シートのうち、前記移植体の下側となる部分を、採取する草体群落に隣接して設置する工程と、
移植元の水底から土壌ごと草体群落を採取し、前記下側となる部分に載置する工程と、
前記網シートのうち、前記移植体の上側となる部分を前記下側となる部分に対して折り畳み、前記下側となる部分に載置した草体群落を覆う工程と、
を含むことを特徴とする請求項１に記載の移植方法。
【請求項３】
前記準備工程及び前記移植工程での前記移植体の固定は、
前記上下の網体を通してピン部材を水底に打ち込むことにより行う、
ことを特徴とする請求項１又は２に記載の移植方法
【発明の詳細な説明】
【技術分野】
【０００１】
本発明は、水草、海草といった草体を移植する方法に関する。
【背景技術】
【０００２】
湖や海の沿岸域に生育する水草や海草などの草体は、魚類の産卵場や稚仔魚の育成場となるだけでなく、草体自体に酸素放出や土壌中の栄養塩吸収の機能があるため、水質浄化に重要な役割を果たす。さらに、これらが沿岸域に密生することにより、底質の巻上げや侵食を防止する底質安定化機能なども重要視されつつある。
【０００３】
しかし、沿岸の埋め立てや水質汚濁により、これらの植生帯の消滅が進んだため、水草や海草移植の技術開発や湖岸植生帯復元、藻場造成などが提案されている。例えば、草体を土壌ごと採取し、容器に格納して搬送し、移植先に埋める方法が提案されている。また、特許文献１には生分解性材料からなる草体移植具を移植元の草体群落近傍に設置し、草体移植具に草体が生育した後、草体と共に草体移植具を移植先に設置する方法が提案されている。
【先行技術文献】
【特許文献】
【０００４】
【特許文献１】特開２００８−１４８５７５号公報
【発明の概要】
【発明が解決しようとする課題】
【０００５】
草体を土壌ごと採取して容器に格納して搬送する方法では、移植先において波浪等によって土壌が流出して草体の定着が低い場合がある。特許文献１の方法では、草体移植具の作成にコストがかかる場合がある。
【０００６】
本発明の目的は、より簡易かつ低コストで草体の移植を可能とすることにある。
【課題を解決するための手段】
【０００７】
本発明によれば、移植元の水底から土壌ごと採取した草体群落を上下の網体で挟んで移植体とし、該移植体を該移植元の水底に固定して該草体群落を生育させる準備工程と、前記移植体を移植先の水底に移動し、該移植先の水底に固定する移植工程と、を含むことを特徴とする移植方法が提供される。
【発明の効果】
【０００８】
本発明によれば、より簡易かつ低コストで草体の移植が可能となる。
【図面の簡単な説明】
【０００９】
【図１】（Ａ）及び（Ｂ）は本発明の一実施形態に係る移植方法の説明図。
【図２】（Ａ）及び（Ｂ）は本発明の一実施形態に係る移植方法の説明図。
【図３】（Ａ）及び（Ｂ）は本発明の一実施形態に係る移植方法の説明図。
【図４】（Ａ）及び（Ｂ）は本発明の一実施形態に係る移植方法の説明図。
【図５】（Ａ）及び（Ｂ）は試験結果を示す表。
【発明を実施するための形態】
【００１０】
図１〜図４を参照して本発明の一実施形態に係る移植方法について説明する。ここでは、海底の海草を移植する場合を想定するが、湖底等の水草の移植等、水底に生息する草体群落の各種の移植に本発明は適用可能である。
【００１１】
本実施形態の移植方法は、図１〜図３に示される準備工程と、図４に示される移植工程と、に大別される。以下、準備工程から順に説明する。
【００１２】
図１（Ａ）は、海草群落２が生殖している移植元の海底１に網シート３を設置する工程を示している。移植する海草としては、地下茎で伸長する海草に好適であり、例えば、ウミジグサ、ウミヒルモ等を挙げることができる。
【００１３】
網シート３としては、移植後に消失させる観点で生分解性材料の網シートが好ましく、例えば、ポリ乳酸繊維等を挙げることができる。本実施形態では網シート３が方形をなしているが、形状は問われない。
【００１４】
網シート３の目合いとしては、網目を海草の根や茎が通過可能な大きさが好ましい一方、土壌の流失を低減する点で小さいことが好ましく、例えば、０．５ｍｍ〜５ｍｍが好ましい。また、網目を通過する海草の茎等の成長を妨げないように比較的容易に網目が広がり易いことが好ましく、網シート３の織り方としては、もじり織等の平織が好ましい。更に、本実施形態では、人手による作業を基調とすることから、網シート３は一人又は数人で搬送可能な大きさであることが好ましい。
【００１５】
本実施形態の場合、後述するように、採取した海草群落２を挟むようにして網シート３を二つ折にする。網シート３の部分３ａは、その際に下側となる網体を構成し、部分３ｂは上側となる網体を構成する。部分３ａ上には採取する海草群落２を載置する。したがって、網シート３を海底１に設置する際には、採取する海草群落２に部分３ａを隣接して、できるだけ近接して設置することが好ましい。
【００１６】
図１（Ｂ）は海底１から海草群落２を土壌ごと採取した状態を示す。海草群落２の採取は、例えば、スコップや移植用グラブ等を用いて行い、土壌ごと採取することで採取作業を簡便なものとすることができると共に、海草に土を付着させたままとすることで、その後の海草の生育を促すことが可能となる。
【００１７】
図２（Ａ）は採取した海草群落２を網シート３の部分３ａ上に載置した状態を示す。部分３ａ上に適量の仮想群落２を載置した後、部分３ｂを部分３ａに対して折り畳み、図２（Ｂ)に示すように、部分３ａ上に載置した海草群落２を覆う。
【００１８】
このようにして、上下の網体（部分３ａ、３ｂ）で海草群落２を挟んだ移植体６が準備される。本実施形態では、１枚の網シート３を折り畳むことで移植体６を形成する構成としたが、２枚の網シートで海草群落２を上下に挟んだ構成としてもよい。尤も、本実施形態のように１枚の網シート３を折り畳む構成の方が作業性がよい。
【００１９】
続いて、移植体６を海底１に固定する。例えば、図２（Ｂ）に示すように、ピン部材５を移植体６の上から、上下の部分３ａ及び３ｂを通して海底１に打ち込み、図３（Ａ）に示すように移植体６を海底１に固定する。これにより、移植体６が海流で流されてしまうことを防止することができる。
【００２０】
その後、所定期間の間、移植体６を海底１に放置しておき、移植する海草群落２を移植体６で生育させる。生育期間は、海草の種類や季節にもよるが、例えば、数か月〜１年程度とすることができる。海草の生育によって、図３（Ｂ）に示すように海草の茎や根が網シート３の網目を通過して網目に絡みつくことになる。これにより、網シート３に対する海草の定着性が向上する。また、移植体６内で海草が繁殖することで土壌の定着性も向上する。以上で準備工程が終了し、移植工程に移る。
【００２１】
まず、ピン部材５を取り外して移植体６の固定を解除し、図４（Ａ）に示すように海底１から移植体６を取り外す。次に、移植体６を搬送して移植先の海底に移動する。移植先の海底に移動すると、移植体６を海底に固定する。図４（Ｂ)は移植先の海底７に移植体６を固定する状態を示す。移植体６の固定は、移植元の海底１での固定と同様、ピン部材５を用いて固定するが、他の固定方法でも構わない。
【００２２】
以上により、移植工程も完了する。移植体６をピン部材５で固定することで、海流で移植体６が流されてしまうことを防止できる。また、移植体６内の海草群落は網シート３の網目に絡みついているので、海草群落が海流で流されてしまうことも防止できる。網シート３やピン部材５を生分解性の材料から作成することで、時の経過により網シート３やピン部材５を消失させることができる。
【００２３】
以上のべた通り、本実施形態では、移設に必要な作業は、海草群落の採取、網シート３への載置、移植体６の固定及び搬送程度であり、より簡易に海草の移植ができる。しかも、必要な器具類は、網シート３とピン部材５であり、より低コストで海草の移植を行える。
【００２４】
図５（Ａ）及び（Ｂ）は海草の移植の試験結果を示している。図５（Ａ）は移植元の海底での移植体における海草の生育状況を示している。移植元の海底はＡ地点、Ｂ地点の２か所とし、上記実施形態の移植体６相当の移植体をＡ地点には３体、Ｂ地点には１７体固定した。被度は、移植体表面側の網体（上記実施形態の部分３ｂに相当）を、内部の海草が覆う割合を意味している。つまり、移植体の設置時には移植体に包まれている海草が成長して網目を通過し、表面側に露出してきた度合いであり、目視観察によって評価したものである。設置時においては当然０％であるが、時の経過により生育が進行していることが分かる。
【００２５】
図５（Ｂ）は移植先の海底での移植体における海草の生育状況を示している。図５（Ａ)に示した合計２０体の移植体（設置一年後のもの）を、Ｃ〜Ｅ地点の３箇所にそれぞれ分配して固定し、時の経過によるその被度を観察した。半年後においては１％に激減しているが、これは丁度冬季にあたったため、海草の葉が流出したため、移植体の表面側に露出する部分が大幅に減ったためである。地下茎や根の成長は十分に確認できた。１年後、２年後においては、被度が安定しており、移植した海草が移植先の海底で枯れることなく、生育が進行していることが確認できた。
【図１】
2014079198.tif 000003
【図２】
2014079198.tif 000004
【図３】
2014079198.tif 000005
【図４】
2014079198.tif 000006
【図５】
2014079198.tif 000007